(57)【要約】【課題】  カードの挿着時にコンタクト端子の接点部が座屈や変形するのを防止でき、接点部の接触信頼性を向上できると共に、コネクタ装置の小型化が図れるカード用コネクタ装置を提供する。【解決手段】  コネクタ端子４が配設されたハウジング１と、コネクタ端子４から導出されハウジング１の外方へ突出する接続端子４ｃとを備え、ハウジング１は上ケース２及び下ケース３からなり、この上ケース２及び下ケース３との間に収納部１ａが形成されており、コネクタ端子４は、一端側が上ケース２のカード挿入口側から奥方に向かって延設され、接点部４ａが上ケース２に設けられた窓孔部２ａを介して収納部１ａ内へ屈曲されて形成されており、他端側は上ケース２の窓孔部２ａの両側縁に沿って上ケースの奥方まで延設されて、ハウジング１の外方へ突出して接続端子４ｃを形成した。【選択図】        図１１
2005135608.tif 000002
【特許請求の範囲】
【請求項１】
カードが挿着される収納部を有するハウジングと、前記収納部に配設され前記カードの外部接触部と接触可能な接点部を有するコネクタ端子と、このコネクタ端子から導出され前記ハウジングの外方へ突出する接続端子とを備え、前記ハウジングは上ケース及び下ケースからなり、この上ケース及び下ケースとの間に前記収納部が形成されており、前記コネクタ端子は、一端側が前記上ケースのカード挿入口側から奥方に向かって延設され、前記接点部が前記上ケースに設けられた窓孔部を介して前記収納部内へ屈曲されて形成されており、他端側は前記上ケースの前記窓孔部の両側縁に沿って前記上ケースの奥方まで延設されて、前記ハウジングの外方へ突出して前記接続端子を形成していることを特徴とするカード用コネクタ装置。
【請求項２】
前記上ケースの窓孔部に配設された前記コネクタ端子の接点部と、前記ハウジングの外方へ突出された前記接続端子とを、前記カードの挿入方向と同一方向に延出して形成したことを特徴とする請求項１記載のカード用コネクタ装置。
【請求項３】
前記コネクタ端子と前記接続端子とが、連続した一枚の金属板から形成され、その中間部が前記上ケース内に一体に埋設されて形成されていることを特徴とする請求項１、又は２記載のカード用コネクタ装置。
【請求項４】
前記ハウジングの収納部には、挿入される前記カードの一端部により駆動され前記カードの挿着を検出する検出手段を備え、前記検出手段は、前記ハウジングに設けられた第１及び第２の固定接点と、この第１及び第２の固定接点間を接続する可動接点を有し、前記第１及び第２の固定接点を、前記上ケースの奥方まで延設された前記接続端子の一部を導出して形成したことを特徴とする請求項１乃至３の何れかに記載のカード用コネクタ装置。
【発明の詳細な説明】
【技術分野】
【０００１】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【背景技術】
【０００２】
パーソナルコンピュータやデジタルカメラなどの電子機器の増設記録装置としてカード用コネクタ装置が一般的に使用されている。この従来のカード用コネクタ装置としては、ハウジングなどの筐体内部にカードを挿入する収納部を形成し、この収納部に複数のコネクタ端子（コンタクト）を並設して、このコネクタ端子の接点と、収納部に挿着されるメモリーカードなどの外部接点とを接続して必要な情報の書き込み、及び読み取りを行うものが知られている（例えば、特許文献１参照）。
【０００３】
図１６及び図１７に従来のカード用コネクタ装置の構成を示す。図１６は従来のカード用コネクタ装置を示す斜視図で、図１７は基板に実装されたカード用コネクタ装置にカードを挿着する状態を示す部分断面図である。
【０００４】
図において、従来のカード用コネクタ装置５０は、底板５４と、底板５４の後端に設けられたインシュレータ５１と、インシュレータ５１の壁部５１ａに保持された細長い導体からなるコンタクト５２と、インシュレータ５１を一端で覆うように設けられた金属カバー５３とを備えている。また、金属カバー５３のコンタクト５２を備えたインシュレータ５１の壁部５１ａとは反対側には、カード２０を挿着するための開口部５６が設けられている。
【０００５】
また、金属カバー５３のコンタクト５２に対応する位置には、カードが挿入された際に、コンタクト５２が押し上げられたときに、金属カバー５３に接触しないように、コンタクト５２の先端部が通過可能な細長い孔５５が設けられている。尚、符号６３はカードの挿着の有無を検出するためのスイッチである。
基板６０に実装されたカード用コネクタ５０にカード２０を挿入する際に、底板５４と金属カバー５３とで形成されたガイド部によってカード２０がガイドされて挿入される。カード２０の前端には、接点２１が設けられており、カード２０をコネクタの開口から挿入して後方に移動すると、コンタクト５２の接点５２ａとカード２０の接点２１とが接触する。その際に、カード２０の接点２１がコンタクト５２を、そのばね力に逆らって、コンタクト５２の壁部の固定端部を軸として上方に押し上げ、孔５５内に至るように移動させるものとなっている。
【０００６】
【特許文献１】特開２００３−５９５５７号公報
【発明の開示】
【発明が解決しようとする課題】
【０００７】
しかしながら、従来のカード用コネクタ装置の構成においては、インシュレータ（ハウジング）５１に保持されたコンタクト（コネクタ端子）５２は、その接点５２ａが形成されている自由端側が、カード２０の挿入方向に対して、奥方から前方（カード挿入口方向）へ延出されて形成されているので、何らかの理由により接点５２ａがカード収納部の下側に偏って取付けられた場合には、カード２０が挿入される際に、カード２０の先端と接点５２ａの先端が衝突して、コンタクト５２が座屈や変形してしまい、接触不良を起こすという問題があった。
また、接点５２ａの先端がカード２０の先端と衝突しないように、予め、上方へ屈曲させて突出させた場合には、カード２０が挿着された時、接点５２ａがインシュレータ（ハウジング）５１から突出しない様にインシュレータの高さを高く設けなければならず、コネクタ装置が大型化してしまうという問題があった。
【０００８】
したがって、本発明では上述した問題点を解決し、カードの挿着時にコンタクト端子の接点部が座屈や変形するのを防止でき、接点部の接触信頼性を向上できると共に、コネクタ装置の小型化が図れるカード用コネクタ装置を提供することを目的とする。
【課題を解決するための手段】
【０００９】
上記課題を解決するために本発明では第１の解決手段として、カードが挿着される収納部を有するハウジングと、前記収納部に配設され前記カードの外部接触部と接触可能な接点部を有するコネクタ端子と、このコネクタ端子から導出され前記ハウジングの外方へ突出する接続端子とを備え、前記ハウジングは上ケース及び下ケースからなり、この上ケース及び下ケースとの間に前記収納部が形成されており、前記コネクタ端子は、一端側が前記上ケースのカード挿入口側から奥方に向かって延設され、前記接点部が前記上ケースに設けられた窓孔部を介して前記収納部内へ屈曲されて形成されており、他端側は前記上ケースの前記窓孔部の両側縁に沿って前記上ケースの奥方まで延設されて、前記ハウジングの外方へ突出して前記接続端子を形成している構成とした。
【００１０】
また、第２の解決手段として、前記上ケースの窓孔部に配設された前記コネクタ端子の接点部と、前記ハウジングの外方へ突出された前記接続端子とを、前記カードの挿入方向と同一方向に延出して形成した構成とした。
また、第３の解決手段として、前記コネクタ端子と前記接続端子とが、連続した一枚の金属板から形成され、その中間部が前記上ケース内に一体に埋設されて形成されている構成とした。
【００１１】
また、第４の解決手段として、前記ハウジングの収納部には、挿入される前記カードの一端部により駆動され前記カードの挿着を検出する検出手段を備え、前記検出手段は、前記ハウジングに設けられた第１及び第２の固定接点と、この第１及び第２の固定接点間を接続する可動接点を有し、前記第１及び第２の固定接点を、前記上ケースの奥方まで延設された前記接続端子の一部を導出して形成した構成とした。
【発明の効果】
【００１２】
以上説明したように、本発明のカード用コネクタ装置は、カードが挿着される収納部を有するハウジングと、収納部に配設されカードの外部接触部と接触可能な接点部を有するコネクタ端子と、コネクタ端子から導出されハウジングの外方へ突出する接続端子とを備え、ハウジングは上ケース及び下ケースからなり、この上ケース及び下ケースとの間に収納部が形成されており、コネクタ端子は、一端側が上ケースのカード挿入口側から奥方に向かって延設され、接点部が上ケースに設けられた窓孔部を介して収納部内へ屈曲されて形成されており、他端側は上ケースの窓孔部の両側縁に沿って上ケースの奥方まで延設されて、ハウジングの外方へ突出して接続端子を形成していることから、コネクタ端子の接点部をカード挿入口側から奥方に向かって延出して形成できるため、収納部にカードを挿着する際に、カードの先端がコンタクト端子に当接したとしても無理なく上方へ撓む（逃げる）ので、コンタクト端子の接点部が座屈や変形するのを防止でき、接点部の接触信頼性を向上できる。
また、ハウジングの高さを高くする必要がないので、コネクタ装置の小型化が図れる。
【００１３】
また、上ケースの窓孔部に配設されたコネクタ端子の接点部と、ハウジングの外方へ突出された接続端子とを、カードの挿入方向と同一方向に延出して形成したことから、コネクタ端子から導出された接続端子がハウジングの奥方から突出されたコネクタ装置においても、接点部の接触信頼性の優れたコネクタ端子構造を容易に得ることができる。
また、コネクタ端子と接続端子とが、連続した一枚の金属板から形成され、その中間部が上ケース内に一体に埋設されて形成されていることから、コネクタ端子の構造が煩雑にならずに簡易なため、生産性の向上が図れる。
【００１４】
また、ハウジングの収納部には、挿入されるカードの一端部により駆動されカードの挿着を検出する検出手段を備え、検出手段は、ハウジングに設けられた第１及び第２の固定接点と、第１及び第２の固定接点間を接続する可動接点を有し、第１及び第２の固定接点を、上ケースの奥方まで延設された接続端子の一部を導出して形成したことから、部品点数を増やすことなく、カードの挿着を検出する検出スイッチを備えたカード用コネクタ装置を簡単に形成することができる。
【発明を実施するための最良の形態】
【００１５】
以下、本発明の実施形態を図１乃至図１５に示す。図１はカード用コネクタ装置の平面図、図２はカード用コネクタ装置の正面図、図３はカバー部材を外した状態のカード用コネクタ装置の平面図、図４はカード用コネクタ装置の要部断面図、図５はカード排出位置のカード用コネクタ装置の平面図、図６はカード排出位置のカード用コネクタ装置の要部断面図、図７はカード挿入途中のカード用コネクタ装置の平面図、図８はカード挿入途中のカード用コネクタ装置の要部断面図、図９はカード挿着位置のカード用コネクタ装置の平面図、図１０はカード挿着位置のカード用コネクタ装置の要部断面図、図１１は上ケースの底面図、図１２は上ケースの要部断面図、図１３は駆動部材と可動接点の底面図、図１４は駆動部材と可動接点の側面図、図１５は上ケースとカバー部材の係合部を示す部分断面図である。
【００１６】
図１乃至図４において、ハウジング１は、合成樹脂などの絶縁材で前方が開口された方形状の箱形に形成されており、上下に重合された上ケース２と下ケース３とから構成されている。このハウジング１の中央には収納部１ａが設けられており、また、前記ハウジング１には、前記収納部１ａに連続してハウジング１の前面にはカード挿入口１ｂが形成されている。また、前記収納部１ａには、弾性を有する導電性の金属材からなるコネクタ端子４が複数個並設されている。
【００１７】
上ケース２は、図１１及び図１２に示すように、合成樹脂などの絶縁材で略平板状に形成されており、中央には複数の窓孔部２ａが設けられている。この窓孔部２ａには、複数のコネクタ端子４が配設されている。このコネクタ端子４は、一端側が前記上ケース２のカード挿入口側（矢印Ａで示す）から奥方に向かって延設され、上ケース２に設けられた前記窓孔部２ａを介して前記収納部１ａ内へ屈曲されて形成されており、この自由端に接点部４ａが形成されている。
【００１８】
また、前記コネクタ端子４は、前記上ケース２にインサート成形などの方法で一体的に埋設されており、その中間の導電部４ｂが、前記上ケース２の前記窓孔部２ａの両側縁に沿って屈曲されて延設されている。そして、この導電部４ｂが、前記上ケース２の後端部まで延設されて、コネクタ端子４の他端側が前記上ケース２の後方外側面から外方へ突出して、複数の接続端子４ｃが配設されており、この接続端子４ｃが電子機器などの外部の回路基板上の回路パターンと半田付けされて固着されることで信号の伝送が行われるものとなっている。
【００１９】
前記コネクタ端子４は、前記接点部４ａと接続端子４ｃとが、連続した一枚の金属板から形成されて、その中間の導電部４ｂが前記上ケース２内に一体に埋設されて形成されており、また、前記上ケース２の窓孔部２ａに配設されたコネクタ端子４の接点部４ａと、上ケース２の外方へ突出して配設された接続端子４ｃとは、カード挿入口側からカード挿入方向に延出して形成されている。
【００２０】
このように、コネクタ端子４の接点部４ａと接続端子４ｃとが、連続した一枚の金属板から形成され、中間の導電部４ｂが上ケース２内に一体に埋設されて形成されていることから、コネクタ端子４の構造が煩雑にならずに簡易なため、生産性の向上が図れると共に、コネクタ端子４から導出された接続端子４ｃがハウジング１の奥方から外方へ突出されたコネクタ装置においても、コネクタ端子４の接点部４ａをカードの挿入方向と同一方向に延出して形成することができる。
【００２１】
また、前記コネクタ端子４の一端側に延出されて形成された前記接点部４ａが、前記収納部１ａ内に突出して配設されたものとなっている。ハウジング１の収納部１ａに後述するカード１２が挿着された際に、この接点部４ａに、カード１２の外部接触部１２ａが接続されるものとなる。
【００２２】
また、上ケース２には、カード挿入口側とは反対側の奥方に、カード１２の挿着を検出する検出手段である一対の接点部、第１及び第２の固定接点５ａ、５ｂが形成されている。この第１及び第２の固定接点５ａ、５ｂは、導電性の金属材から形成されており、この第１及び第２の固定接点５ａ、５ｂは、前記上ケース２の後端部まで延設された前記接続端子４ｃの一部を導出して、同じくインサート成形などの方法で一体的に形成されている。
【００２３】
このように、カード１２の挿着を検出する検出手段である一対の接点部、第１及び第２の固定接点５ａ、５ｂを、上ケース２の奥方まで延設された接続端子４ｃの一部を導出して形成したので、部品点数を増やすことなく、カード１２の挿着を検出する検出スイッチを備えたカード用コネクタ装置を簡単に形成することができる。
【００２４】
また、上ケース２の一側部には、切り欠き部２ｂが設けられており、この切り欠き部２ｂ上に後述するカバー部材１１に設けられた押圧片１１ｂが配置されて、この押圧片１１ｂが切り欠き部２ｂを介して下方に配置された下ケース３に軸支されている後述するロック部材７を付勢するものとなっている。
【００２５】
また、上ケース２のカード挿入口側の中央部には、凹状の係合凹部２ｃが形成されている。また、この係合凹部２ｃはカード挿入方向に対して直交する方向へ長幅状に形成されている。この係合凹部２ｃに、後述するカバー部材１１の同じくカード挿入口側の中央部に形成されたフック状の係止段部１１ｃが係合されることにより、上ケース２がハウジング１の収納部１ａ側へ変位（撓む）するのを規制するようになっている。
【００２６】
また、上ケース２には、前記コネクタ端子４の中間の導電部４ｂが、前記上ケース２内に一体に埋設されて形成されている部分の複数箇所に、上下方向に貫通する貫通孔２ｄが形成されている。この貫通孔２ｄは、上ケース２にコネクタ端子４を一体にインサート成形した後に、それぞれのコネクタ端子４を個々に独立させるための切断ポンチの加工跡である。
【００２７】
下ケース３は、同じく合成樹脂などの絶縁材で上面及び前面が開口状の箱型に形成されている。この開口部の上側に上ケース２が重合されてこの開口部内に前記ハウジング１の収納部１ａが構成されるものとなっている。また、この下ケース３の一側部には、後述するスライド部材１０をカード排出方向へ付勢するコイルばねからなる付勢部材６を収容するばね収容部３ａが形成されている。
【００２８】
また、ばね収容部３ａの軸線上で前面のカード挿入口側には、後述するスライド部材１０の一端側に形成されたハート型カム溝１０ｂに摺接される金属の線材からなるロック部材７の一端が回動可能に軸支される軸孔３ｂが形成されている。また、前記下ケース３の後方端部には、後述する駆動部材８を回動可能に軸支する支持孔３ｃが設けられている。この支持孔３ｃに回動可能に軸支された駆動部材８がカード１２の挿入に伴って回動されるものとなっている。
【００２９】
駆動部材８は、図１３及び図１４に示すように、合成樹脂などの絶縁材からなり、長細状のアーム部８ａと、このアーム部８ａの一端側に突出して設けられた作動部８ｂと、この作動部８ｂの他端側に設けられた円柱状の支軸からなる第１の保持部８ｃと、前記アーム部の略中央に設けられた中空の立壁状の第２の保持部８ｄを有している。
【００３０】
この駆動部材８には、導電性の金属線材からなり、二つの座巻き部を有する一本の捻りコイルばねから形成された可動接点９が取付けられている。この可動接点９には、二つの座巻き部からそれぞれ延出する第１の接点ばね９ａ、及び第２の接点ばね９ｂが形成されている。可動接点９は、第１の接点ばね９ａが延出された座巻き部が、駆動部材８の第１の保持部８ｃの支軸に保持され、第２の接点ばね９ｂが延出された座巻き部が、駆動部材８の第２の保持部８ｄの中空立壁内に保持されて取り付けられている。
【００３１】
この駆動部材８の第１の保持部８ｃの支軸の先端が、前記下ケース３の後方端部に設けられた支持孔３ｃに回動可能に支持されており、この支持孔３ｃに回動可能に軸支された駆動部材８が、カード１２が挿入される際に、カード１２の一端部と当接して回動されることにより、駆動部材８の回動に伴って可動接点９の第１及び第２の接点ばね９ａ、９ｂが前記上ケース２に形成された第１及び第２の固定接点５ａ、５ｂと接触するものとなっている。
【００３２】
この時、駆動部材８は、第１の保持部８ｃを前記下ケース３の支持孔３ｃに軸支することで、前記第１の接点ばね９ａを前記第１の固定接点５ａに接触した状態で付勢させるように形成されており、前記第２の保持部８ｄを前記第１の保持部８ｃを支点として回動可能に保持することにより前記第２の接点ばね９ｂと前記第２の固定接点５ｂとが接離可能に配置されている。
【００３３】
このように、駆動部材８には、可動接点９の第１の接点ばね９ａの座巻き部を保持する第１の保持部８ｃと、第２の接点ばね９ｂの座巻き部を保持する第２の保持部８ｄを設け、第１の保持部８ｃをハウジング１に軸支して、第１の接点ばね９ａを第１の固定接点５ａに接触した状態で付勢させると共に、第２の保持部８ｄを第１の保持部８ｃを支点として回動可能に保持して、第２の接点ばね９ｂと第２の固定接点５ｂとを接離可能に配置するようにしたので、可動接点９を確実に駆動部材８に保持できると共に、第１の接点ばね９ａと第２の接点ばね９ｂをそれぞれ独立して付勢動作させることが可能となっている。
【００３４】
また、第２の接点ばね９ｂが第２の固定接点５ｂと接触した時に、駆動部材８の回動に伴って、前記第２の接点ばね９ｂの座巻き部が捻られることになり、この座巻き部の捻り作用によって、前記第２の接点ばね９ｂが前記第２の固定接点５ｂの接触面上を摺接するものとなっている。
【００３５】
このように、第２の接点ばね９ｂは、駆動部材８の回動に伴って、第２の接点ばね９ｂの座巻き部が捻られることにより、前記第２の固定接点５ｂの接触面上を摺接することから、互いの接点部が接触する際には、互いが擦れ合うセルフクリーニング作用が得られるので、接触の信頼性の向上が図れるものとなる。
【００３６】
また、可動接点９を、二つの座巻き部を有する第１及び第２の接点ばね９ａ、９ｂで形成するようにしてあり、第１の接点ばね９ａで前記駆動部材８の回動動作後の復帰用のばねを構成して、前記第２の接点ばね９ｂで前記第２の固定接点５ｂとの接点圧付与用のばねを構成するようになっている。
【００３７】
このように、第１の接点ばね９ａが駆動部材８の復帰用のばねを構成して、第２の接点ばね９ｂが第２の固定接点５ｂとの接点圧付与用のばねを構成していることから、復帰用のばねと接点圧付与用のばねとを異なる接点ばねで形成してあるので、接点圧を確実に付与させることができ、接触の信頼性が向上できるものとなる。
【００３８】
スライド部材１０は、合成樹脂などの絶縁材から略逆Ｌ字状に形成されており、前記ハウジング１の収納部１ａにカード１２の挿入及び排出に伴ってカード１２の挿入及び排出方向に移動可能に収納されている。このスライド部材１０の基部の一端側には、下ケース３のばね収容部３ａに収容されたコイルばねからなる前記付勢部材６の一端部が係止される、ばね係止部１０ａが形成されている。
【００３９】
また、基部の上面の一端側には、下ケース３の軸孔３ｂに一端側が回動可能に軸支された前記ロック部材７と協働して、前記付勢部材６の付勢力に抗してスライド部材１０をカード１２の挿着位置に保持するハート型カム溝１０ｂが形成されている。また、スライド部材１０の一端側には、基部からカード挿入方向と直交する方向に突出して設けられ、カード１２の一端部（前端部）と当接するカード当接部１０ｃが形成されている。
【００４０】
前記上ケース２の上面側には、金属板からなるカバー部材１１が、上、下ケース２、３を覆うように取り付けられている。また、このカバー部材１１は、前記ハウジング１の収納部１ａに配設された前記コネクタ端子４の上面を覆うように形成されており、外部からの輻射ノイズ等の侵入を防止するシールド板の役目も果たしている。
【００４１】
また、カバー部材１１の一側部には、切り窓部１１ａが形成されており、この切り窓部１１ａの一辺から片持ち梁状に延出して、ばね性を有する押圧片１１ｂが形成されている。この押圧片１１ｂが上ケース２の切り欠き部２ｂを介して、下ケース３に軸支されたロック部材７をスライド部材１０のハート型カム溝１０ｂへ付勢するものとなっている。
【００４２】
また、図１５に示すように、カバー部材１１のカード挿入口側の中央部には下方へ屈曲したフック状の係止段部１１ｃが設けられている。また、この係止段部１１ｃは、カード挿入方向に対して直交する方向に長幅状に形成されている。カバー部材１１がハウジング１を覆うように取付けられた際には、この係止段部１１ｃと、上ケース２の同じくカード挿入口側の中央部に設けられた係合凹部２ｃとが係合されることにより、上ケース２がハウジング１の収納部１ａ側へ変位（撓む）するのを規制するようになっている。
【００４３】
このように、カバー部材１１及び上ケース２には、カード１２が挿入される際、接点部４ａが押し上げられるのに伴って（コネクタ端子４の有するばね性による反作用により）、上ケース２が収納部１ａ側へ変位（撓む）するのを規制するための係止段部１１ｃ及び係合凹部２ｃを形成したことから、カバー部材１１により接点部４ａが押圧された際の上ケース２の変位が規制されるので、上ケース２の厚さを厚くする必要がなく、ハウジング１の高さを高くする必要がないので、コネクタ装置の小型化が図れるものとなる。
【００４４】
また、カバー部材１１は金属板で形成されており、この金属板に下方へ屈曲した係止段部１１ｃを形成したことから、金属のカバー部材１１に係止段部１１ｃを設けるだけの簡単な構造で、上ケース２の変位を規制することが可能となる。
【００４５】
また、係止段部１１ｃ及び係合凹部２ｃを、カバー部材１１及び上ケース２のカード挿入口側の中央に形成したことから、上ケース２が一番大きく変位する箇所を規制することができるで、確実に上ケース２の変位を規制できるものとなる。また、係止段部１１ｃ及び係合凹部２ｃを、カード挿入方向に対して直交する方向に長幅状に形成したことから、変位方向に対する規制部の幅が広がるので、強度が強固となり、更に、確実に上ケース２の変位を規制できるものとなっている。
【００４６】
カード１２は、例えば、ＲＳ−ＭＭＣカード（レデュースサイズ−マルチメディアカード）で、内部に集積回路（ＩＣ）が収納されており、記録媒体として使用されるものである。このカード１２の一表面には、その一端側に複数の外部接触部１２ａが形成されており、この外部接触部１２ａが前記ハウジング１の収納部１ａに配設された前記コネクタ端子４の接点部４ａと接触することにより、外部に接続された電子機器との種々の情報処理が行われるものとなっている。
【００４７】
前記カード１２が前記ハウジング１の収納部１ａに挿入された時、カード１２の前端部がスライド部材１０のカード当接部１０ｃに当接することによって、スライド部材１０がカード１２の挿入に伴って挿入方向へ移動可能となるように形成されている。
【００４８】
次に、図５乃至図１０を用いて前記カード１２をコネクタ装置に挿入する場合の動作を説明する。
前記カード１２を挿入する場合には、まず、図３及び図４に示す初期の状態、すなわち前記カード１２の未挿入時には、前記スライド部材１０は前記付勢部材６の付勢力によりカード排出方向へ付勢されている。
【００４９】
次に、前記カード１２が、前記ハウジング１の収容部１ａに挿入されると、前記カード１２の前端部が、前記スライド部材１０のカード当接部１０ｃに当接されて保持されるものとなる。この時、前記カード１２の外部接触部１２ａは前記コネクタ端子４の接点部４ａとは離間している。また、カード１２の挿着を検出する検出手段である可動接点９は、駆動部材８の復帰用のばねとしての第１の接点ばね９ａの付勢力によって駆動部材８がカードの排出方向へ付勢されており、第１の接点ばね９ａと第１の固定接点５ａとは接触しているが、第２の接点ばね９ｂと第２の固定接点５ｂとが離間した状態となっている（図５、図６参照）。
【００５０】
次に、前記カード１２をカード挿入方向へ押圧してやると、前記スライド部材１０がカード１２の挿入に伴って挿入方向へ移動可能となり、前記付勢部材６の付勢力に抗してスライド部材１０がカード挿入方向へ移動する。そして、カード１２の前端部が、ハウジング１の収納部１ａに回動可能に軸支された駆動部材８の作動部８ｂに当接して、駆動部材８を第１の接点ばね９ａの付勢力に抗してカード挿入方向へ回動させる。この時、スライド部材１０の移動に伴ってロック部材７の一端部がスライド部材１０に設けられたハート型カム溝１０ｂをトレースする（図７、図８参照）。
【００５１】
このように、前記コネクタ端子４は、一端側が上ケース２のカード挿入口側から奥方に向かって延設されて、接点部４ａが上ケース２に設けられた窓孔部２ａを介して収納部１ａ内へ屈曲されて形成されており、また、他端側は上ケース２の窓孔部２ａの両側縁に沿って上ケース２の奥方まで延設されて、ハウジング１の外方へ突出して接続端子４ｃを形成しているため、コネクタ端子４の接点部４ａをカード挿入口側から奥方に向かって延出して形成できるので、収納部１ａにカード１２を挿着する際に、カード１２の先端がコンタクト端子４に当接したとしても無理なく上方へ撓む（逃げる）ので、コンタクト端子４の接点部４ａが座屈や変形するのを防止でき、接点部４ａの接触信頼性を向上できるものとなっている。
【００５２】
また、前記コネクタ端子４の接点部４ａ側が、上ケース２のカード挿入口側から奥方に向かって延設されていることから、接点部４ａの先端に座屈防止用としてのガイド片などを延設する必要がなくなるため、カード１２の挿着時にガイド片などがハウジング１の上面から突出する心配がないので、ハウジング１の高さを高くする必要がなく、コネクタ装置の小型化が図れるものとなる。
【００５３】
次に、更に、前記カード１２をカードの挿入方向へ押圧してやると、ロック部材７の一端部がスライド部材１０に設けられたハート型カム溝１０ｂをトレースしてロック位置にロックされ、前記カード１２が前記ハウジング１の収納部１ａのカード挿着位置に挿着される。この時、前記カード１２の外部接触部１２ａは前記コネクタ端子４の接点部４ａと接触するものとなる。この時、駆動部材８はカード１２の挿着と共にカード挿入方向へ回動されることにより、接点圧付与用の第２の接点ばね９ｂが第２の固定接点５ｂと接触して、可動接点９を介して第１及び第２の固定接点５ａ、５ｂ間が電気的に接続されてカード１２の挿着が検出される（図９、図１０参照）。
【００５４】
図９及び図１０に示す状態から、前記カード１２を排出するには、更にカード１２を一旦挿入方向に押圧することにより、前記ロック部材７が前記ハートカム溝１０ｂのロック位置から外れ、前記付勢部材６の付勢力によって前記スライド部材１０がカード排出方向へ移動して、このスライド部材１０と共に前記カード１２が排出位置まで排出されるものとなる。
【００５５】
このように、前記ハウジング１に、前記スライド部材１０をカード排出方向へ付勢する前記付勢部材６と、前記スライド部材１０を前記付勢部材６の付勢力に抗してカード挿着位置に保持するロック部材７を設けるようにしたので、前記カード１２を排出する際には、前記付勢部材６の付勢力を利用することにより前記カード１２を容易に排出することができる。
【００５６】
また、前記カード１２の一端部により駆動されカード１２の挿着を検出する検出手段を、前記ハウジング１に設けられた第１及び第２の固定接点５ａ、５ｂと、この第１及び第２の固定接点５ａ、６ｂ間を接続する可動接点９で形成し、この可動接点９を、二つの座巻き部を有する一本の捻りコイルばねで形成すると共に、この捻りコイルばねに前記第１の固定接点５ａと当接する第１の接点ばね９ａと、前記第２の固定接点５ｂと当接する第２の接点ばね９ｂを形成して、前記第１の接点ばね９ａ及び第２の接点ばね９ｂを、それぞれ異なる座巻き部から延設したことから、カード１２の挿着を検出する検出スイッチの接点部を、接点ばねの自己復帰用のばね圧と、接点部の接点圧とを異なる接点ばねで得るようにしているので、長い間使用したとしても、接点部の接点ばねがへたってしまい、接点圧が低下することがなくなり接触信頼性が向上できるものとなる。また、接点圧を上げるために、接点ばねの形状を大きくする必要がなくなり、コネクタ装置の小型化が図れるものとなっている。
【００５７】
また、前記ハウジング１には、カード１２の一端部と当接して回動される前記駆動部材８を備えており、この駆動部材８に前記可動接点９が保持されて、前記ハウジング１の収納部１ａに回動可能に軸支するようにしてあるので、カード１２の挿着を前記駆動部材８を介して確実に可動接点９に伝動することができ、カード１２の挿着検出を確実に行なうことができるものとなっている。
【図面の簡単な説明】
【００５８】
【図１】本発明のカード用コネクタ装置を示す平面図である。
【図２】本発明のカード用コネクタ装置を示す正面図である。
【図３】本発明のカバー部材を外した状態のカード用コネクタ装置を示す平面図である。
【図４】本発明のカード用コネクタ装置を示す要部断面図である。
【図５】本発明のカード排出位置のカード用コネクタ装置を示す平面図である。
【図６】本発明のカード排出位置のカード用コネクタ装置を示す要部断面図である。
【図７】本発明のカード挿入途中のカード用コネクタ装置を示す平面図である。
【図８】本発明のカード挿入途中のカード用コネクタ装置を示す要部断面図である。
【図９】本発明のカード挿着位置のカード用コネクタ装置を示す平面図である。
【図１０】本発明のカード挿着位置のカード用コネクタ装置を示す要部断面図である。
【図１１】本発明の上ケースを示す底面図である。
【図１２】本発明の上ケースを示す要部断面図である。
【図１３】本発明の駆動部材と可動接点を示す底面図である。
【図１４】本発明の駆動部材と可動接点を示す側面図である。
【図１５】本発明の上ケースとカバー部材の係合部を示す部分断面図である。
【図１６】従来のカード用コネクタ装置を示す斜視図である。
【図１７】従来の基板に実装されたカード用コネクタ装置にカードを挿着する状態を示す部分断面図である。
【符号の説明】
【００５９】
１：ハウジング
１ａ：収納部
１ｂ：カード挿入口
２：上ケース
２ａ：窓孔部
２ｂ：切り欠き部
２ｃ：係合凹部（規制手段）
２ｄ：貫通孔
３：下ケース
３ａ：ばね収容部
３ｂ：軸孔
３ｃ：支持孔
４：コネクタ端子
４ａ：接点部
４ｂ：導電部
４ｃ：接続端子
５ａ：第１の固定接点（検出手段）
５ｂ：第２の固定接点（検出手段）
６：付勢部材
７：ロック部材
８：駆動部材
８ａ：アーム部
８ｂ：作動部
８ｃ：第１の保持部
８ｄ：第２の保持部
９：可動接点（検出手段）
９ａ：第１の接点ばね
９ｂ：第２の接点ばね
１０：スライド部材
１０ａ：ばね係止部
１０ｂ：ハート型カム溝
１０ｃ：カード当接部
１１：カバー部材
１１ａ：切り窓部
１１ｂ：押圧片
１１ｃ：係止段部（規制手段）
１２：カード（ＲＳ−ＭＭＣ）
１２ａ：外部接触部
【図１】
2005135608.tif 000003
【図２】
2005135608.tif 000004
【図３】
2005135608.tif 000005
【図４】
2005135608.tif 000006
【図５】
2005135608.tif 000007
【図６】
2005135608.tif 000008
【図７】
2005135608.tif 000009
【図８】
2005135608.tif 000010
【図９】
2005135608.tif 000011
【図１０】
2005135608.tif 000012
【図１１】
2005135608.tif 000013
【図１２】
2005135608.tif 000014
【図１３】
2005135608.tif 000015
【図１４】
2005135608.tif 000016
【図１５】
2005135608.tif 000017
【図１６】
2005135608.tif 000018
【図１７】
2005135608.tif 000019